(57)【要約】【課題】全てのチャックピンに均一な弾性力を提供することにより、ディスクの中心を整列する機能が改善できるディスクチャッキング装置を提供する。【解決手段】本発明によるディスクチャッキング装置は、ディスクを着脱可能に、モータのロータに結合させる装置であって、ロータに結合されるボスと、ボスを囲む内周面を有し、ボスの中心から半径方向に弾性を有する第１弾性部材と、第１弾性部材により弾性的に支持され、第１弾性部材から放射状に配置される複数の第２弾性部材と、複数の第２弾性部材により弾性的にそれぞれ支持され、ディスクを押圧する複数のチャックピンと、を含むことを特徴とする。【選択図】図２
2010140591.tif 000002
【特許請求の範囲】
【請求項１】
ディスクを着脱可能に、モータのロータに結合させる装置であって、
前記ロータに結合されるボスと、
前記ボスを囲む内周面を有し、前記ボスの中心から半径方向に弾性を有する第１弾性部材と、
前記第１弾性部材により弾性的に支持され、前記第１弾性部材から放射状に配置される複数の第２弾性部材と、
前記複数の第２弾性部材によりそれぞれ弾性的に支持され、前記ディスクを押圧する複数のチャックピンと、を含むディスクチャッキング装置。
【請求項２】
前記第１弾性部材を支持する支持部をさらに含む請求項１に記載のディスクチャッキング装置。
【請求項３】
前記支持部が、
隣接する前記複数の第２弾性部材の間に位置し、前記第１弾性部材の内周面を支持することを特徴とする請求項２に記載のディスクチャッキング装置。
【請求項４】
前記支持部が、
前記ボスから半径方向に突出した突起形状であることを特徴とする請求項２または３に記載のディスクチャッキング装置。
【請求項５】
前記支持部が、
隣接する前記複数の第２弾性部材の間に位置し、前記第１弾性部材の外周面を支持することを特徴とする請求項２に記載のディスクチャッキング装置。
【請求項６】
前記第１弾性部材は、
前記ボスを囲む板バネを含むことを特徴とする請求項１から５の何れか１項に記載のディスクチャッキング装置。
【発明の詳細な説明】
【技術分野】
【０００１】
本発明はディスクチャッキング装置に関する。
【背景技術】
【０００２】
通常、ディスク駆動装置はディスクをロード（loading）またはアンロード（unloading）するディスクチャッキング装置と、ディスクチャッキング装置によりロードされたディスクを所定の速度で回転させるスピンドルモータとを備える。
【０００３】
このようなディスク駆動装置においては、ディスクチャッキング装置とそれに装着されるディスクの回転中心を一致させることが、重要な要求事項である。ディスクチャッキング装置とディスクの中心が一致しない場合、ディスクの高速回転によりその中心間の偏差がさらに大きくなり、各種振動や騒音を誘発することがある。
【０００４】
図１は、従来技術によるディスクチャッキング装置を示す平面図である。図１に示すように、従来のディスクチャッキング装置においては、チャックピン６を弾性的に支持するコイルバネ４がディスクチャッキング装置の半径方向に配置されている。
【０００５】
このとき、それぞれのチャックピン６はコイルバネ４により個別に支持される。よって、コイルバネ４の弾性変形、各チャックピン６と中心ボス２との間の隙間の差などから、ディスクとディスクチャッキング装置の中心がずれることになると、これを補償することができない。
【０００６】
一方、チャックピン６と中心ボス２との間の制限された間隔のために、十分な長さのコイルバネ４を用いることができない場合、同一の変位に対してコイルバネ４が持つ力は一定ではない。これにより、チャックピン６がディスクの内周縁を同一の力で支持できなくなり、ディスクとディスクチャッキング装置の中心がずれることになる。
【０００７】
このように、ディスクチャッキング装置とディスクの中心が一致しない場合、情報を正確に記録及び再生することができないという問題点があった。
【発明の概要】
【発明が解決しようとする課題】
【０００８】
こうした従来技術の問題点に鑑み、本発明は、ディスクの中心を整列する機能を改善したディスクチャッキング装置を提供することを目的とする。
【課題を解決するための手段】
【０００９】
本発明の一実施形態によれば、ディスクを着脱可能に、モータのロータに結合させる装置であって、ロータに結合されるボスと、ボスを囲む内周面を有し、ボスの中心から半径方向に弾性を有する第１弾性部材と、第１弾性部材により弾性的に支持され、第１弾性部材から放射状に配置される複数の第２弾性部材と、複数の第２弾性部材によりそれぞれ弾性的に支持され、ディスクを押圧する複数のチャックピンと、を含むディスクチャッキング装置が提供される。
【００１０】
ここで、第１弾性部材を支持する支持部をさらに含むことができる。
【００１１】
支持部は、隣接する複数の第２弾性部材の間に位置し、第１弾性部材の内周面を支持することができる。
【００１２】
また、支持部は、ボスから半径方向に突出した突起形状であってもよい。
【００１３】
一方、支持部は隣接する複数の第２弾性部材の間に位置し、第１弾性部材の外周面を支持することができる。
【００１４】
第１弾性部材は、ボスを囲む板バネを含むことができる。
【発明の効果】
【００１５】
全てのチャックピンに均一な弾性力を提供することにより、ディスクの中心を整列する機能を改善することができる。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】従来技術によるディスクチャッキング装置を示す平面図である。
【図２】本発明の一実施例によるディスクチャッキング装置を示す平面図である。
【図３】本発明の他の実施例によるディスクチャッキング装置の第１弾性部材を示す平面図である。
【図４】本発明のまた他の実施例によるディスクチャッキング装置の第１弾性部材を示す平面図である。
【図５】本発明の一実施例によるディスクチャッキング装置の第１弾性部材の作用を示す平面図である。
【図６】本発明の一実施例によるディスクチャッキング装置の第１弾性部材の作用を示す平面図である。
【発明を実施するための形態】
【００１８】
本発明は多様な変換を加えることができ、様々な実施例を有することができるため、本願では特定実施例を図面に例示し、詳細に説明する。しかし、これは本発明を特定の実施形態に限定するものではなく、本発明の思想及び技術範囲に含まれるあらゆる変換、均等物及び代替物を含むものとして理解されるべきである。本発明を説明するに当たって、係る公知技術に対する具体的な説明が本発明の要旨をかえって不明にすると判断される場合、その詳細な説明を省略する。
【００１９】
「第１」、「第２」などのような序数を含む用語は、多様な構成要素を説明するために用いられるに過ぎず、構成要素がそれらの用語により限定されるものではない。それらの用語は一つの構成要素を他の構成要素から区別する目的だけに用いられる。
【００２０】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書上に記載された特徴、数字、段階、動作、構成要素、部品、またはこれらを組合せたものの存在を指定するものであって、一つまたはそれ以上の他の特徴や数字、段階、動作、構成要素、部品、またはこれらを組合せたものの存在または付加可能性を予め排除するものではないと理解しなくてはならない。
【００２１】
以下、本発明によるディスクチャッキング装置の好ましい実施例を添付図面を参照して詳細に説明し、本発明を説明するに当たって、同一または対応の構成要素には同一の図面符号を付し、これに対する重複説明は省略する。
【００２２】
図２は、本発明の一実施例によるディスクチャッキング装置を示す平面図であり、図３は、本発明の他の実施例によるディスクチャッキング装置の第１弾性部材を示す平面図である。
【００２３】
図２及び図３を参照すると、ボス１０、第１弾性部材２０、第２弾性部材３０、チャックピン４０、支持部５０が示されている。
【００２４】
本発明の一実施例によるディスクチャッキング装置は、ディスクを着脱可能に、モータのロータに結合させる装置であって、ロータに結合されるボス１０と、ボス１０を囲む内周面を有し、ボス１０の中心から半径方向に弾性を有する第１弾性部材２０と、第１弾性部材２０により弾性的に支持され、第１弾性部材２０から放射状に配置される複数の第２弾性部材３０と、複数の第２弾性部材３０によりそれぞれ弾性的に支持され、ディスクを押圧する複数のチャックピン４０と、を含み、全てのチャックピン４０に均一な弾性力を提供することにより、ディスクの中心を整列する機能を改善することができる。
【００２５】
ボス１０は、ディスクチャッキング装置が回転するように、スピンドルモータの回転部であるロータに結合される部分である。ボス１０はディスクチャッキング装置の構成要素が組み込まれるハウジングの中心に固定されるため、ディスクチャッキング装置がロータにより回転可能となる。このとき、ディスクの回転中心とディスクチャッキング装置の中心を一致させるために、ボス１０の中心にロータの回転軸の中心が位置するようにする。
【００２６】
図２を参照すると、本実施例のボス１０は、その中心にロータの回転軸が挿入される貫通孔を有し、ハウジングと一体型に形成される。これにより、貫通孔に挿入され結合される回転軸によりディスクチャッキング装置を回転させることができる。
【００２７】
第１弾性部材２０は第２弾性部材３０と共にチャックピン４０に弾性力を提供する。そして、チャックピン４０をそれぞれ支持する複数の第２弾性部材３０が互いに有機的にチャックピン４０を支持するように、第２弾性部材３０を弾性的に一体化する。このために、第１弾性部材２０は、第２弾性部材３０の全てを支持するためにボス１０を囲んで形成される。また、チャックピン４０に弾性力を提供するために、ボス１０の中心から半径方向に弾性を有するように形成される。
【００２８】
具体的に、図２を参照すると、本実施例の第１弾性部材２０として、ボス１０を囲む弾性フレーム、すなわち板バネを用いる。中央の板バネを中心に、第２弾性部材３０であるコイルバネが第１弾性部材２０により支持されて弾性的に一体化される。これに対する詳細な内容は後述する。
【００２９】
第２弾性部材３０はチャックピン４０を弾性的に支持するために、第１弾性部材２０とチャックピン４０との間に組み込まれる。このとき、チャックピン４０は、ディスクの内周縁を均一に押圧するように、ボス１０の半径方向の放射状に配置される。また、上述したように、各第２弾性部材３０は第１弾性部材２０により支持され、他の第２弾性部材３０と有機的に作動する。
【００３０】
具体的に、図２を参照すると、本実施例の第２弾性部材３０はコイルバネであって、ボス１０を囲む板バネにより支持され、チャックピン４０をディスクの内周縁に向かってボス１０の半径方向に支持する。このとき、板バネにより全てのコイルバネは弾性的に一体化される。以下、これを詳細に説明する。
【００３１】
図５及び図６は、本発明の一実施例によるディスクチャッキング装置の第１弾性部材の作用を示す平面図である。
【００３２】
図５に示すように、各第２弾性部材３０が第１弾性部材２０を均一な力で押圧すると、第１弾性部材２０により各第２弾性部材３０の支持される面も均一に変形されて、同じ反発力、すなわち、弾性力が発生する。
【００３３】
しかし、図６に示すように、一つの第２弾性部材３０により加えられる力が、他の第２弾性部材３０により加えられる力より大きいと、大きい力が加えられる側の第１弾性部材２０が内部にさらに押し込まれて変形することになる。そのため、大きい力が加えられた第２弾性部材３０は相対的に弛緩し、他の第２弾性部材３０は相対的に圧縮される。これにより、各第２弾性部材３０は第１弾性部材２０に均一な力を加えることになる。すなわち、チャックピン４０を押圧する第２弾性部材３０の力が均一になる。したがって、第１弾性部材２０により支持される複数の第２弾性部材３０は互いに有機的に作用して複数のチャックピン４０を均一な力で支持することにより、チャックピン４０はディスクの内周縁を均一な力で押圧して偏心を防止する。
【００３４】
一方、第１弾性部材２０が第２弾性部材３０を強固に支持するように、第１弾性部材２０を支持する支持部５０をさらに含むことができる。図３を参照すると、各第２弾性部材３０間に、第１弾性部材２０の内周面を支持する支持部５０が形成されている。これにより、各第２弾性部材３０は支持部５０間の平らな面により安定的に支持される。特に、図２に示すように、ボス１０から半径方向に突出した突起形状に形成してボス１０と一体化することができる。
【００３５】
また、図４を参照すれば、一定の剛性を有する第１弾性部材２０の外周面を一定の間隔で押圧することで支持することができる。このとき、第２弾性部材３０を支持する第１弾性部材２０の両側が支持部５０により支持されるように、支持部５０を各第２弾性部材３０の間に位置させることができる。これにより、第１弾性部材２０が第２弾性部材３０を強固に支持することができる。
【００３６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３７】
上述した実施例以外の多くの実施例が本発明の特許請求の範囲内に存在する。
【符号の説明】
【００３８】
１０  ボス
２０  第１弾性部材
３０  第２弾性部材
４０  チャックピン
５０  支持部
【図１】
2010140591.tif 000003
【図２】
2010140591.tif 000004
【図３】
2010140591.tif 000005
【図４】
2010140591.tif 000006
【図５】
2010140591.tif 000007
【図６】
2010140591.tif 000008